(57)【要約】【課題】  従来の平らな電極を用いた加熱圧着方法では、対向する先端が平らな電極を用いて圧着端子を加圧変形させることにより、圧着端子の平らな形状に潰された両端部分は、内部の電線が十分に変形し難く、カシメ性能が劣り、電線の接続強度の低下や電気抵抗値の上昇という課題があった。【解決手段】  本発明では、予め挿入する電線の断面積と本数の積によって選択する圧着端子のサイズより、大きいサイズの圧着端子を用いて、不足する電線の本数分に相当するダミーの電線を挿入すること、及び、挿入するダミーの電線が潰された圧着端子の両端に配置させることで、接続の確実性を高めることができる。潰された圧着端子の接続強度や電気抵抗値が十分に得られない両端部分は接続性能が要求されないために、性能を必要とする電線と区別することができることを特徴とする通電加熱圧着方法である。【選択図】図１
2006221818.tif 000002
【特許請求の範囲】
【請求項１】
被覆された電線が挿入された圧着端子であって、前記圧着端子は、一対の電極で挟まれ、前記一対の電極に流される電流によって発生するジュール熱で加熱され、前記一対の電極に押し付けられ、前記圧着端子に挿入された前記電線と接続する前記圧着端子であって、前記圧着端子の両端に前記電線とは異なるダミー電線を配置したことを特徴とする圧着端子。
【請求項２】
請求項１において、前記圧着端子のスリーブ部分に挿入する電線の本数に相当する圧着端子より、前記スリーブ部分の内径が大きい圧着端子に前記ダミー電線を複数本は位置していることを特徴とする圧着端子。
【請求項３】
圧着端子に被覆を施した電線を挿入する工程と、
前記圧着端子の両端に前記電線とは異なるダミー電線を挿入する工程と、
一対の電極で前記圧着端子を挟む工程と、
前記電極に電流を流してジュール熱を発生させ前記圧着端子を加熱する工程と、
前記電極を前記圧着端子に押し付ける工程とを有し、
前記圧着端子を変形させて内部に挿入した電線を接続することを特徴とする圧着端子の接続方法。
【請求項４】
請求項３において、前記圧着端子は、前記圧着端子のスリーブ部分に挿入する電線の本数よりも前記ダミー電線を挿入できる内径のスリーブ部分を有する圧着端子であることを特徴とする圧着端子の接続方法。
【発明の詳細な説明】
【技術分野】
【０００１】
本発明は圧着端子を加熱圧着して電線と接合する接続方法及びそれに用いられる圧着端子に関する。
【背景技術】
【０００２】
従来は特開２００２−１３４２４６号公報，特開２００２−９３４７８号公報にあるように、一対の対向する先端が平らな電極を用いて通電熱圧着をする方法であり、また、平らな電極の一方の電極にスリット又は両端に壁を設けて、圧着端子の両端が水平方向に広がることを防止すると共に、圧着端子の両端の電線が潰れるように配慮した加圧方式であった。
【０００３】
【特許文献１】特開２００２−１３４２４６号公報
【特許文献２】特開２００２−９３４７８号公報
【発明の開示】
【発明が解決しようとする課題】
【０００４】
従来の平らな電極を用いた加熱圧着方式では、対向する先端が平らな電極を用いて圧着端子を加圧変形させることにより、圧着端子の平らな形状に潰された両端部分は、内部の電線が十分に変形し難く、カシメ性能が劣る等の課題があった。また、平らな電極の一方の電極にスリット又は両端に壁を設けて、圧着端子の両端が水平方向に広がることを防止する通電熱圧着方法では、圧着端子の両端部は３方向から圧力を受けるため、内部の電線は変形し難く、カシメ性能が劣り、電線の接続強度の低下や電気抵抗値の上昇が発生する等の課題があった。
【０００５】
本発明は、電線と圧着端子とが確実に接合される圧着端子の接合方法及びそれに用いられる圧着端子を提供することを目的とする。
【課題を解決するための手段】
【０００６】
本発明では、上記課題を解決するために、被覆された電線が挿入された圧着端子が、一対の電極で挟まれ、前記一対の電極に流される電流によって発生するジュール熱で加熱され、前記一対の電極に押し付けられ、前記圧着端子に挿入された前記電線と接続され、前記圧着端子の両端に前記電線とは異なるダミー電線を配置したことを特徴とする。
【発明の効果】
【０００７】
本発明によれば、電線の接続性能を必要とする電線を圧着端子の中央部分に圧着し、接続性能を必要としないダミー電線を圧着端子の両端に圧着することにより、電線の接続性能を低下させることなく、通電加熱圧着を行うことができる。
【発明を実施するための最良の形態】
【０００８】
本発明では、圧着端子に電線を挿入する工程において、予め挿入する電線の断面積と本数の積によって選択する圧着端子のサイズより、大きいサイズの圧着端子を選択し、不足する電線の本数分に相当するダミーの電線を挿入すること、および、挿入するダミーの電線が潰された圧着端子の両端に位置する様に予め圧着端子に挿入することによって、潰された圧着端子の接続強度や電気抵抗値が十分に得られない両端部分は接続性能が要求されないために、性能を必要とする電線と区別することができることを特徴とする通電加熱圧着方法であり、それに用いられる圧着端子である。
【０００９】
本発明によれば、電線の接続性能を必要とする電線を圧着端子の中央部分に圧着し、接続性能を必要としないダミー電線を圧着端子の両端に圧着することにより、電線の接続性能を低下させることなく、通電加熱圧着を行うことができる。
【００１０】
圧着端子の電線との接続部の中でその変形された両端部は、接続強度や電気抵抗値が十分に得られないが、逆に、この両端部には接続性能が要求されない。従って、このような部位にダミー電線を配置するものである。つまり、本発明では、性能を必要とする電線と性能を必要としないダミー電線とを圧着端子内に混在させることに特徴がある。さらに、潰された際に、ダミー配線がその両端部に配置されていることを特徴とする。
【００１１】
図１から図３に本発明の実施例を示す。１および２は電極であり、３および４は電極１および２の先端部の形状である。５は圧着端子であり、６は圧着端子５のスリーブ部分である。７および８はダミー電線であり、９は接続する複数の電線である。１０は潰されたスリーブであり、１１および１２は潰されたスリーブ１０の端部分である。
【００１２】
以上の構成において、図１に示すように、圧着端子５のスリーブ６の内部に電線９を挿入し、更にダミー電線７および８を所定の位置、この場合は、潰された場合の圧着端子の端部に挿入する。次に電極１および２によって、この電極間に配置された前記の圧着端子５および、挿入した電線９，ダミー電線７および８を挟む。
【００１３】
図２に示すように、電極１を矢印Ａ方向に加圧機構（図示せず）によって移動させ、電極１と圧着端子５のスリーブ６および、電極２を接触させる。次に電極１と２の間に通電設備（図示せず）によって所定の電流を流し、スリーブ６を介して、電線９およびダミー電線７，８が加熱される。更に電極１を矢印Ａ方向に加圧機構（図示せず）によって移動させ、圧着端子５のスリーブ６を潰すことによって、ダミー電線７および８が潰されたスリーブ１０の両端部分１１および１２にダミー電線７および８が移動し、通電加熱圧着が完了する。
【産業上の利用可能性】
【００１４】
電線と接続端子を確実に接続することで、接続端子の接続性能が向上するので、産業上の装置に適用できる。
【図面の簡単な説明】
【００１５】
【図１】本発明の圧着端子と電線の配置断面である。
【図２】本発明の平らに潰された圧着端子と電線の配置断面である。
【図３】本発明の平らに潰された圧着端子と電線の斜視図である。
【符号の説明】
【００１６】
１，２…電極、３，４…先端部、５…圧着端子、６…スリーブ、７，８…ダミー電線、９…電線、１０…潰されたスリーブ、１１，１２…端部。
【図１】
2006221818.tif 000003
【図２】
2006221818.tif 000004
【図３】
2006221818.tif 000005